(57)【要約】【課題】クラッドモード光のホットスポットの発生を抑制することができるとともに、短い長さでもクラッドモード光を十分に除去することができるクラッドモードストリッパ構造を提供する。【解決手段】クラッドモードストリッパ構造Ｍは、光ファイバ１０の端部のクラッド１１２の外周面に長さ方向に沿って溝１３が設けられて構成されている。クラッドモードストリッパ構造Ｍは、溝１３の深さが先端側から基端側に行くに従って深くなっている先端側部分Ｍ１と、溝１３の深さが先端側部分Ｍ１の溝１３の深さの最大値以下である基端側部分Ｍ２とを含む。【選択図】図１Ｂ
2020126145.tif 000002
【特許請求の範囲】
【請求項１】
光ファイバの端部のクラッドの外周面に長さ方向に沿って溝が設けられて構成されたクラッドモードストリッパ構造であって、
前記溝の深さが先端側から基端側に行くに従って深くなっている先端側部分と、前記溝の深さが前記先端側部分の前記溝の深さの最大値以下である基端側部分と、を含むクラッドモードストリッパ構造。
【請求項２】
請求項１に記載されたクラッドモードストリッパ構造において、
前記基端側部分では、前記溝の深さが均一であるクラッドモードストリッパ構造。
【請求項３】
請求項２に記載されたクラッドモードストリッパ構造において、
前記基端側部分の前記溝の深さが、前記先端側部分の前記溝の深さの最大値の７０％以上であるクラッドモードストリッパ構造。
【請求項４】
請求項１に記載されたクラッドモードストリッパ構造において、
前記基端側部分では、前記溝の深さが先端側から基端側に行くに従って浅くなっているクラッドモードストリッパ構造。
【請求項５】
請求項４に記載されたクラッドモードストリッパ構造において、
前記基端側部分における先端側から基端側に向かう前記溝の深さの減少勾配の絶対値が、前記先端側部分における先端側から基端側に向かう前記溝の深さの増加勾配の絶対値よりも小さいクラッドモードストリッパ構造。
【請求項６】
請求項１乃至５のいずれかに記載されたクラッドモードストリッパ構造において、
前記溝が、前記先端側部分及び前記基端側部分間を渡るとともに、光ファイバ１０の端部のクラッド１１２の外周面に螺旋状に延びるように形成されているクラッドモードストリッパ構造。
【請求項７】
請求項１乃至６のいずれかに記載されたクラッドモードストリッパ構造において、
前記基端側部分の長さが前記先端側部分の長さよりも短いクラッドモードストリッパ構造。
【発明の詳細な説明】
【技術分野】
【０００１】
本発明は、クラッドモードストリッパ構造に関する。
【背景技術】
【０００２】
レーザ加工機等で用いられる光ファイバでは、入射側において、レーザ光源からのレーザ光の一部がコアに入射されずにクラッドに入射する。また、出射側においては、レーザ光照射対象であるワークからの反射光がクラッドに入射する。そして、このようなクラッドに入射したクラッドモード光により、光ファイバのジャケットが焼損する虞がある。そこで、光ファイバの端部のジャケットを剥がして露出したクラッドの外周面に長さ方向に沿って溝を設けることにより、クラッドモード光を外部に放射して除去するためのクラッドモードストリッパ構造を構成することが行われている（例えば特許文献１及び２）。
【先行技術文献】
【特許文献】
【０００３】
【特許文献１】特開２０１７−２２３８９７号公報
【特許文献２】特開２０１７−１８７５２３号公報
【発明の概要】
【発明が解決しようとする課題】
【０００４】
ところで、均一な深さの溝で構成されたクラッドモードストリッパ構造では、外部に放射されて除去されるクラッドモード光の強度が先端側から基端側に行くに従って指数関数的に低下するため、先端側の端に、放射されて除去されるクラッドモード光の強度がピークとなるホットスポットが発生し、これにより光ファイバが溶断する虞がある。一方、クラッドモードストリッパ構造は、光コネクタ内に配置される必要があるため、その長さには制限があり、短いことが好ましい。
【０００５】
本発明の課題は、クラッドモード光のホットスポットの発生を抑制することができるとともに、短い長さでもクラッドモード光を十分に除去することができるクラッドモードストリッパ構造を提供することである。
【課題を解決するための手段】
【０００６】
本発明は、光ファイバの端部のクラッドの外周面に長さ方向に沿って溝が設けられて構成されたクラッドモードストリッパ構造であって、前記溝の深さが先端側から基端側に行くに従って深くなっている先端側部分と、前記溝の深さが前記先端側部分の前記溝の深さの最大値以下である基端側部分とを含む。
【発明の効果】
【０００７】
本発明によれば、先端側部分では、溝の深さが先端側から基端側に行くに従って深くなっており、且つ基端側部分では、溝の深さが先端側部分の溝の深さの最大値以下であることにより、クラッドモード光のホットスポットの発生を抑制することができるとともに、短い長さでもクラッドモード光を十分に除去することができる。
【図面の簡単な説明】
【０００８】
【図１Ａ】実施形態１に係るクラッドモードストリッパ構造を有する光ファイバの端部の斜視図である。
【図１Ｂ】実施形態１に係るクラッドモードストリッパ構造を有する光ファイバの端部の縦断面図である。
【図２Ａ】実施形態１に係るクラッドモードストリッパ構造の第１の態様の長さ方向に沿った溝の深さを示す図である。
【図２Ｂ】実施形態１に係るクラッドモードストリッパ構造の第２の態様の長さ方向に沿った溝の深さを示す図である。
【図３】実施形態１に係るクラッドモードストリッパ構造を有する光ファイバに光コネクタを取り付けた光コネクタ構造の縦断面図である。
【図４】レーザ加工機によるワークの加工方法を示す図である。
【図５】全体に渡って均一な深さの溝で構成されたクラッドモードストリッパ構造の長さ方向に沿った外部に放射されて除去されるクラッドモード光の強度を示す図である。
【図６】実施形態１に係るクラッドモードストリッパ構造の長さ方向に沿った外部に放射されて除去されるクラッドモード光の強度を示す図である。
【図７】実施形態２に係るクラッドモードストリッパ構造を有する光ファイバの端部の縦断面図である。
【図８Ａ】実施形態２に係るクラッドモードストリッパ構造の第１の態様の長さ方向に沿った溝の深さを示す図である。
【図８Ｂ】実施形態２に係るクラッドモードストリッパ構造の第２の態様の長さ方向に沿った溝の深さを示す図である。
【図９】実施形態２に係るクラッドモードストリッパ構造の長さ方向に沿った外部に放射されて除去されるクラッドモード光の強度を示す図である。
【図１０】実施形態１に係るクラッドモードストリッパ構造を有する光ファイバの端部の斜視図である。
【図１１Ａ】実施形態３に係るクラッドモードストリッパ構造を有する光ファイバの端部の第１の態様の縦断面図である。
【図１１Ｂ】実施形態３に係るクラッドモードストリッパ構造を有する光ファイバの端部の第２の態様の縦断面図である。
【発明を実施するための形態】
【０００９】
以下、実施形態について図面に基づいて詳細に説明する。
【００１０】
（実施形態１）
図１Ａ及びＢは、実施形態１に係るクラッドモードストリッパ構造Ｍを有する光ファイバ１０を示す。この光ファイバ１０は、例えば切断や溶接を行うレーザ加工機等に装着される光ファイバケーブルのレーザ光伝送部材として用いられるものである。
【００１１】
この光ファイバ１０は、裸光ファイバ１１と、それを被覆するジャケット１２とを備える。光ファイバ１０の外径は、例えば１．３ｍｍである。
【００１２】
裸光ファイバ１１は、相対的に高屈折率なコア１１１と、それを被覆する相対的に低屈折率のクラッド１１２とを有する。裸光ファイバ１１は、例えば、コア１１１がノンドープの純粋石英で形成されており、クラッド１１２が屈折率を低下させるドーパント（Ｆ、Ｂ等）がドープされた石英で形成されている。裸光ファイバ１１の外径は、例えば５００μｍである。コア１１１の直径は、例えば１００μｍである。なお、裸光ファイバ１１は、複数のコアを有するマルチコア光ファイバであってもよい。
【００１３】
ジャケット１２は、紫外線硬化性樹脂や熱硬化性樹脂等で形成された単一層で構成されていてもよく、また、例えばシリコーン樹脂の内側バッファ層と、それを被覆するナイロン樹脂或いはフッ素樹脂の外側被覆層との２層で構成されていてもよい。ジャケット１２の厚さは、例えば４００μｍである。
【００１４】
光ファイバ１０は、一方及び他方のそれぞれの端部において、ジャケット１２が剥がされて裸光ファイバ１１が突出して露出している。そして、この光ファイバ１０の端部に露出した裸光ファイバ１１のクラッド１１２の外周面に、クラッドモード光を外部に放射して除去するための実施形態１に係るクラッドモードストリッパ構造Ｍが設けられている。クラッドモードストリッパ構造Ｍの長さは、例えば２０ｍｍ以上５０ｍｍ以下である。
【００１５】
実施形態１に係るクラッドモードストリッパ構造Ｍは、光ファイバ１０の端部に露出した裸光ファイバ１１におけるクラッド１１２の外周面に長さ方向に沿って溝１３が設けられて構成されている。この溝１３は、光ファイバ１０の端部に露出した裸光ファイバ１１におけるクラッド１１２の外周面に長さ方向に沿って螺旋状に延びるように形成されている。溝１３の断面形状は、コの字型の他、Ｕ字型、Ｖ字型、台形型等であってもよい。
【００１６】
実施形態１に係るクラッドモードストリッパ構造Ｍは、先端側部分Ｍ１と、その基端側の基端側部分Ｍ２とを含む。溝１３は、先端側部分Ｍ１及び基端側部分Ｍ２間を渡って延びるように形成されている。そして、先端側部分Ｍ１では、溝１３の深さが先端側から基端側に行くに従って深くなっている。基端側部分Ｍ２では、溝１３の深さが先端側部分Ｍ１の溝１３の深さの最大値以下であり且つ均一である。本願における「溝１３の深さ」は、クラッド１１２の外周面から溝１３の最深部までの距離である。
【００１７】
実施形態１に係るクラッドモードストリッパ構造Ｍは、先端側部分Ｍ１の溝１３の深さが、図２Ａに実線で示すように、先端側から基端側に行くに従って連続的に深くなっていてもよく、図２Ｂに実線で示すように、先端側から基端側に行くに従って段階的に深くなっていてもよい。
【００１８】
溝１３の深さが深いと、その形成加工時に発生するヒュームが表面に付着して溝１３及びその周辺に凹凸面を形成し、クラッドモード光を放射させて除去する際に、その部分での発熱が著しくなることから、先端側部分Ｍ１の溝１３の深さの最大値は、クラッド１１２の厚さよりも小さく、好ましくは０．１ｍｍ以下、より好ましくは０．０６ｍｍ以下である。
【００１９】
先端側部分Ｍ１の溝１３の開口の幅は、不均一であってもよいが、溝１３の加工容易性の観点から、均一であることが好ましい。先端側部分Ｍ１の溝１３の開口の幅は、例えば０．０２ｍｍ以上１ｍｍ以下である。先端側部分Ｍ１の溝１３の螺旋ピッチは、不均一であってもよいが、溝１３の加工容易性の観点から、均一であることが好ましい。先端側部分Ｍ１の溝１３の螺旋ピッチは、例えば０．０５ｍｍ以上５ｍｍ以下である。先端側部分Ｍ１の長さは、例えば１０ｍｍ以上４０ｍｍ以下である。
【００２０】
基端側部分Ｍ２の溝１３の深さは、先端側部分Ｍ１の溝１３の深さの最大値以下の一定値であればよいが、クラッドモード光の除去性能を高める観点から、先端側部分Ｍ１の溝１３の深さの最大値の７０％以上であることが好ましく、９０％以上であることがより好ましく、図２Ａ及びＢに実線で示すように、先端側部分Ｍ１の基端側の端の溝１３の深さに連続している、つまり、先端側部分Ｍ１の溝１３の深さの最大値と同一であることが更に好ましい。基端側部分Ｍ２の溝１３の深さは、例えば０．０１ｍｍ以上０．１ｍｍ以下である。
【００２１】
基端側部分Ｍ２の溝１３の開口の幅は、不均一であってもよいが、溝１３の加工容易性の観点から、均一であることが好ましい。基端側部分Ｍ２の溝１３の開口の幅は、先端側部分Ｍ１の溝１３の開口の幅と異なっていてもよいが、溝１３の加工容易性の観点から、先端側部分Ｍ１の溝１３の開口の幅と同一であることが好ましい。基端側部分Ｍ２の溝１３の開口の幅は、例えば０．０２ｍｍ以上１ｍｍ以下である。
【００２２】
基端側部分Ｍ２の溝１３の螺旋ピッチは、不均一であってもよいが、溝１３の加工容易性の観点から、均一であることが好ましい。基端側部分Ｍ２の溝１３の螺旋ピッチは、先端側部分Ｍ１の溝１３の螺旋ピッチと異なっていてもよいが、溝１３の加工容易性の観点から、先端側部分Ｍ１の溝１３の螺旋ピッチと同一であることが好ましい。基端側部分Ｍ２の溝１３の螺旋ピッチは、例えば０．０５ｍｍ以上５ｍｍ以下である。
【００２３】
基端側部分Ｍ２の長さは、先端側部分Ｍ１の長さよりも短いことが好ましい。基端側部分Ｍ２の長さは、例えば５ｍｍ以上３５ｍｍ以下である。
【００２４】
以上の構成の実施形態１に係るクラッドモードストリッパ構造Ｍは、光ファイバ１０の端部のクラッド１１２の外周面に、例えばＣＯ２レーザからのレーザ光を照射して溝１３を形成することにより得ることができる。このとき、溝１３の深さは、レーザ光の強度や照射時間等により制御することができる。
【００２５】
図３は、光ファイバ１０に光コネクタ２０を取り付けた光コネクタ構造Ｃを示す。この光コネクタ構造Ｃは、例えばレーザ加工機等に装着される光ファイバケーブルの入射側及び出謝側のそれぞれの端部に構成されるものである。
【００２６】
光コネクタ２０は、筒状部材のコネクタ本体２１を有する。コネクタ本体２１の内部には、その中間部に、長さ方向に延びるように形成された内径が大きい裸ファイバ収容部２１ａが設けられているとともに、その後方側に連続して、長さ方向に延びるように形成された裸ファイバ収容部２１ａよりも内径が小さい被覆ファイバ嵌入部２１ｂが設けられている。また、裸ファイバ収容部２１ａの先端側に連続して、長さ方向に延びるように形成された裸ファイバ収容部２１ａ及び被覆ファイバ嵌入部２１ｂの中間の内径のブロック収容部２１ｃが設けられている。裸ファイバ収容部２１ａの先端部には、環状の封止部材２２が内嵌めされている。封止部材２２の開口には、円筒状のファイバ保持部材２３が内嵌めされている。ブロック収容部２１ｃには、石英ブロック２４が収容されている。
【００２７】
この光コネクタ構造Ｃでは、光ファイバ１０におけるクラッドモードストリッパ構造Ｍが設けられた端部を含む先端から所定長の部分が光コネクタ２０の後方から挿通されている。そして、裸光ファイバ１１の先端部がファイバ保持部材２３に内嵌めされて保持されるとともに、実施形態１に係るクラッドモードストリッパ構造Ｍが設けられた裸光ファイバ１１の端部が裸ファイバ収容部２１ａを長さ方向に延び、且つジャケット１２で被覆された部分が被覆ファイバ嵌入部２１ｂに内嵌めされて保持されている。ジャケット１２で被覆された部分におけるジャケット１２の端面は、裸ファイバ収容部２１ａに露出するように位置付けられている。また、ファイバ保持部材２３に保持された裸光ファイバ１１の先端がブロック収容部２１ｃに収容された石英ブロック２４に融着接続されている。
【００２８】
図４は、レーザ加工機３０によるレーザ光照射対象であるワークＷの加工方法を示す。
【００２９】
レーザ加工機３０は、レーザ光源３１と、そこからワークＷに延びるように装着された光ファイバケーブル３２とを有する。光ファイバケーブル３２は、レーザ光伝送用の光ファイバ１０を含むとともに、入射側及び出謝側のそれぞれの端部に光コネクタ構造Ｃが構成されている。
【００３０】
レーザ加工機３０によるワークＷの加工において、入射側の光コネクタ構造Ｃでは、レーザ光源３１からのレーザ光が石英ブロック２４を介して入射すると、レーザ光は、主には裸光ファイバ１１のコア１１１に入射して伝搬するが、一部がミスアライメント等のためにコア１１１に入射されない漏れ光となってクラッド１１２に入射し、それがクラッドモード光として伝搬する。また、出射側の光コネクタ構造Ｃでは、裸光ファイバ１１のコア１１１を伝搬したレーザ光が石英ブロック２４を介して出射し、そのレーザ光は、主にはワークＷの加工に供されるが、一部がワークＷからの反射光となってクラッド１１２に入射し、それがクラッドモード光として伝搬する。特に波長が１μｍ帯のレーザ光は、金や銅のワークＷに対する反射率が高いので、その反射光も多くなる。そして、これらのクラッドモード光は、それぞれの光コネクタ構造Ｃにおける光コネクタ２０内に配置された実施形態１に係るクラッドモードストリッパ構造Ｍに先端側から順方向に入力されて外部に放射されて除去される。
【００３１】
ここで、全体に渡って均一な深さの溝で構成されたクラッドモードストリッパ構造の場合、図５に実線で示すように、外部に放射されて除去されるクラッドモード光の強度が先端側から基端側に行くに従って指数関数的に低下するため、先端側の端において、放射されて除去されるクラッドモード光の強度がピークとなるホットスポットが発生する。
【００３２】
しかしながら、実施形態１に係るクラッドモードストリッパ構造Ｍでは、図６に実線で示すように、先端側部分Ｍ１において、溝１３の深さが先端側から基端側に行くに従って深くなっているので、放射されて除去されるクラッドモード光の強度が全体として分散される。また、溝１３の深さが先端側部分Ｍ１の溝１３の深さの最大値以下であり且つ均一である基端側部分Ｍ２においては、先端側部分Ｍ１で除去されなかった強度の低下したクラッドモード光が効率的に放射されて除去される。これらのことから、実施形態１に係るクラッドモードストリッパ構造Ｍによれば、クラッドモード光のホットスポットの発生を抑制することができるとともに、短い長さでもクラッドモード光を十分に除去することができる。
【００３３】
なお、溝の深さが全体に渡って先端側から基端側に行くに従って緩やかな勾配で深くなっているクラッドモードストリッパ構造の場合でも、クラッドモード光のホットスポットの発生を抑制することはできる。しかしながら、この場合、クラッドモード光を十分に除去するためには、クラッドモードストリッパ構造が長い必要があるものの、光コネクタ内に配置されるクラッドモードストリッパ構造には、長さに制限がある。
【００３４】
また、溝の深さが全体に渡って先端側から基端側に行くに従って急勾配で深くなっているクラッドモードストリッパ構造の場合でも、クラッドモード光のホットスポットの発生を抑制することはでき、しかも、制限された長さのクラッドモードストリッパ構造において、クラッドモード光を十分に除去することができる。しかしながら、この場合、放射されて除去されるクラッドモード光の強度が全体的に高くなるとともに、基端側の部分では、溝の深さが深くなるため、その形成加工時に発生するヒュームが表面に付着して溝及びその周辺に凹凸面を形成し、クラッドモード光を放射させて除去する際に、その部分での発熱が著しくなる。
【００３５】
実施形態１に係るクラッドモードストリッパ構造Ｍにおいて外部に放射されて除去されたクラッドモード光は、裸ファイバ収容部２１ａの内壁を介してコネクタ本体２１に吸収されて熱に変換され、空冷又は水冷により取り除かれる。
【００３６】
（実施形態２）
図７は、実施形態２に係るクラッドモードストリッパ構造Ｍを有する光ファイバ１０を示す。なお、実施形態１と同一名称の部分は、実施形態１と同一符号で示す。
【００３７】
実施形態２に係るクラッドモードストリッパ構造Ｍの基端側部分Ｍ２では、溝１３の深さが先端側部分Ｍ１の溝１３の深さの最大値以下であり且つ先端側から基端側に行くに従って浅くなっている。クラッドモードストリッパ構造Ｍは、基端側部分Ｍ２の溝１３の深さが、図８Ａに示すように、先端側から基端側に行くに従って連続的に浅くなっていてもよく、図８Ｂに示すように、先端側から基端側に行くに従って段階的に浅くなっていてもよい。なお、図８Ａ及びＢにおいて、先端側部分Ｍ１の溝１３の深さは、連続的に深くなっている場合を実線及び段階的に深くなっている場合を破線でそれぞれ示している。その他の構成は、実施形態１と同一である。
【００３８】
実施形態２に係るクラッドモードストリッパ構造Ｍにおいて、クラッドモード光が先端側から順方向に入力されて外部に放射されて除去される。しかしながら、例えば低ＮＡでクラッド１１２に入射したクラッドモード光は、クラッドモードストリッパ構造Ｍでは除去されずに残存してしまうことがあり、そのような残存したクラッドモード光は、そのままクラッド１１２を伝搬する。したがって、入射側のクラッドモードストリッパ構造Ｍには、レーザ光源からの順方向のクラッドモード光が入力されるとともに、ワークＷの反射光の出射側のクラッドモードストリッパ構造Ｍで除去されずに残存した逆方向のクラッドモード光が入力される。同様に、出射側のクラッドモードストリッパ構造Ｍには、ワークＷの反射光の順方向のクラッドモード光が入力されるとともに、レーザ光源からのレーザ光の入射側のクラッドモードストリッパ構造Ｍで除去されずに残存した逆方向のクラッドモード光が入力される。
【００３９】
実施形態２に係るクラッドモードストリッパ構造Ｍに順方向に入力されるクラッドモード光については、図９に実線で示すように、先端側部分Ｍ１において、溝１３の深さが先端側から基端側に行くに従って深くなっているので、放射されて除去されるクラッドモード光の強度が全体として分散される。また、溝１３の深さが先端側部分Ｍ１の溝１３の深さの最大値以下であり且つ先端側から基端側に行くに従って浅くなっている基端側部分Ｍ２においては、先端側部分Ｍ１で除去されなかった強度の低下したクラッドモード光が効率的に放射されて除去される。これらのことから、実施形態２に係るクラッドモードストリッパ構造Ｍによれば、順方向のクラッドモード光のホットスポットの発生を抑制することができるとともに、短い長さでもクラッドモード光を十分に除去することができる。
【００４０】
ここで、逆方向に入力されるクラッドモード光について、クラッドモードストリッパ構造の基端側の部分の溝の深さが均一である場合、図５及び６に破線で示すように、外部に放射されて除去されるクラッドモード光の強度が基端側から先端側に行くに従って指数関数的に低下するため、基端側の端において、ピーク強度は低いものの、放射されて除去されるクラッドモード光のホットスポットが発生する。なお、溝の深さが全体に渡って先端側から基端側に行くに従って深くなっているクラッドモードストリッパ構造の場合には、基端側の端に、ピーク強度のより高いホットスポットが発生する。
【００４１】
しかしながら、実施形態２に係るクラッドモードストリッパ構造Ｍでは、図９に破線で示すように、基端側部分Ｍ２において、溝１３の深さが先端側から基端側に行くに従って浅くなっているので、放射されて除去されるクラッドモード光の強度が全体として分散される。このことから、実施形態２に係るクラッドモードストリッパ構造Ｍによれば、逆方向のクラッドモード光のホットスポットの発生を抑制することができる。
【００４２】
実施形態２に係るクラッドモードストリッパ構造Ｍに入力される逆方向のクラッドモード光は、順方向のクラッドモード光よりも強度が小さいので、基端側部分Ｍ２では、逆方向のクラッドモード光のホットスポットの発生抑制よりも、順方向のクラッドモード光の除去のウエイトが大きい。したがって、基端側部分Ｍ２における先端側から基端側に向かう溝１３の深さの減少勾配の絶対値は、先端側部分Ｍ１における先端側から基端側に向かう溝１３の深さの増加勾配の絶対値よりも小さいことが好ましい。
【００４３】
なお、実施形態２に係るクラッドモードストリッパ構造Ｍは、先端側部分Ｍ１と基端側部分Ｍ２との間に、溝１３の深さが先端側部分Ｍ１及び基端側部分Ｍ２の溝１３の深さの最大値以下であり且つ均一である中間部分を含んでいてもよい。
【００４４】
その他の作用効果は、実施形態１と同一である。
【００４５】
（実施形態３）
図１０は、実施形態３に係るクラッドモードストリッパ構造Ｍを有する光ファイバ１０を示す。なお、実施形態１と同一名称の部分は、実施形態１と同一符号で示す。
【００４６】
実施形態３に係るクラッドモードストリッパ構造Ｍは、光ファイバ１０の端部に露出した裸光ファイバ１１におけるクラッド１１２の外周面に長さ方向に沿って溝１３が設けられて構成されている。溝１３は、光ファイバ１０の端部に露出した裸光ファイバ１１におけるクラッド１１２の外周面に周方向に延びるように形成されているとともに、長さ方向に沿って相互に間隔をおいて複数設けられている。
【００４７】
実施形態３に係るクラッドモードストリッパ構造Ｍは、先端側部分Ｍ１と、その基端側の基端側部分Ｍ２とを含む。そして、先端側部分Ｍ１及び基端側部分Ｍ２のそれぞれには複数の溝１３が設けられており、先端側部分Ｍ１では、図１１Ａ及びＢに示すように、複数の溝１３の深さが先端側から基端側に行くに従って段階的に深くなっている。基端側部分Ｍ２では、図１１Ａに示すように、溝１３の深さが先端側部分Ｍ１の溝１３の深さの最大値以下であり且つ均一であってもよく、図１１Ｂに示すように、複数の溝１３の深さが先端側部分Ｍ１の溝１３の深さの最大値以下であり且つ先端側から基端側に行くに従って段階的に浅くなっていてもよい。
【００４８】
先端側部分Ｍ１及び基端側部分Ｍ２の溝１３の配設ピッチは、不均一であってもよいが、溝１３の加工容易性の観点から、均一であることが好ましい。先端側部分Ｍ１及び基端側部分Ｍ２の溝１３の配設ピッチは、異なっていてもよいが、溝１３の加工容易性の観点から、同一であることが好ましい。先端側部分Ｍ１及び基端側部分Ｍ２の溝１３の配設ピッチは、例えば０．０５ｍｍ以上５ｍｍ以下である。
【００４９】
実施形態３に係るクラッドモードストリッパ構造Ｍによれば、実施形態１及び２と同様、順方向のクラッドモード光のホットスポットの発生を抑制することができるとともに、短い長さでもクラッドモード光を十分に除去することができる。また、図１１Ｂに示すように、基端側部分Ｍ２の複数の溝１３の深さが先端側部分Ｍ１の溝１３の深さの最大値以下であり且つ先端側から基端側に行くに従って段階的に浅くなっていれば、実施形態２と同様、逆方向のクラッドモード光のホットスポットの発生を抑制することができる。その他の構成及び作用効果は実施形態１及び２と同一である。
【００５０】
（その他の実施形態）
上記実施形態１及び２では、単一の溝１３が光ファイバ１０の端部のクラッド１１２の外周面に長さ方向に沿って螺旋状に延びるように形成された構成としたが、特にこれに限定されるものではなく、２以上の複数の溝が光ファイバの端部のクラッドの外周面に長さ方向に沿って多重螺旋状に延びるように形成された構成であってもよい。
【００５１】
上記実施形態１及び２では、溝１３が、先端側部分Ｍ１及び基端側部分Ｍ２間を渡るとともに、光ファイバ１０の端部のクラッド１１２の外周面に螺旋状に延びるように形成された構成とし、実施形態３では、溝１３が、先端側部分Ｍ１及び基端側部分Ｍ２のそれぞれに、光ファイバ１０の端部のクラッド１１２の外周面に周方向に延びるように形成された構成としたが、特にこれらに限定されるものではなく、溝が、先端側部分では、光ファイバの端部のクラッドの外周面に螺旋状に延びるように形成され、基端側部分では、光ファイバの端部のクラッドの外周面に周方向に延びるように形成された構成、又は、その逆の構成であってもよい。
【００５２】
上記実施形態１及び２では、溝１３が光ファイバ１０の端部のクラッド１１２の外周面に螺旋状に延びるように形成された構成とし、実施形態３では、溝１３が光ファイバ１０の端部のクラッド１１２の外周面に周方向に延びるように形成された構成としたが、特にこれらに限定されるものではなく、溝が光ファイバの端部のクラッドの外周面に長さ方向に延びるように形成された構成であってもよい。
【産業上の利用可能性】
【００５３】
本発明は、クラッドモードストリッパ構造の技術分野について有用である。
【符号の説明】
【００５４】
Ｃ  光コネクタ構造
Ｍ  クラッドモードストリッパ構造
Ｍ１  先端側部分
Ｍ２  基端側部分
Ｗ  ワーク
１０  光ファイバ
１１  裸光ファイバ
１１１  コア
１１２  クラッド
１２  ジャケット
１３  溝
２０  光コネクタ
２１  コネクタ本体
２１ａ  裸ファイバ収容部
２１ｂ  被覆ファイバ嵌入部
２１ｃ  ブロック収容部
２２  封止部材
２３  ファイバ保持部材
２４  石英ブロック
３０  レーザ加工機
３１  レーザ光源
３２  光ファイバケーブル
【図１Ａ】
2020126145.tif 000003
【図１Ｂ】
2020126145.tif 000004
【図２Ａ】
2020126145.tif 000005
【図２Ｂ】
2020126145.tif 000006
【図３】
2020126145.tif 000007
【図４】
2020126145.tif 000008
【図５】
2020126145.tif 000009
【図６】
2020126145.tif 000010
【図７】
2020126145.tif 000011
【図８Ａ】
2020126145.tif 000012
【図８Ｂ】
2020126145.tif 000013
【図９】
2020126145.tif 000014
【図１０】
2020126145.tif 000015
【図１１Ａ】
2020126145.tif 000016
【図１１Ｂ】
2020126145.tif 000017